(57)【要約】【課題】持ち運びデジタル撮影装置にナビゲーションができるようにする。【解決手段】持ち運びデジタル撮影装置に、測位情報の受信機を含み、受信した測位情報に基づいて、その持ち運びデジタル撮影装置のディスプレイにナビゲーション情報を表示する。【選択図】図１
2010534455.tif 000002
【特許請求の範囲】
【請求項１】
持運びデジタル撮影装置と、受信した測位情報をこの持運びデジタル撮影装置のディスプレイに表示する測位情報の受信機を含むことを特徴とする測位ナビゲーション情報と画像情報を結合した持運びデジタル撮影システム。
【請求項２】
前記測位情報の受信機はＧＰＳ受信手段や、ガリレオ受信手段又は地面測位情報の受信手段を備えることを特徴とする請求項１記載の測位ナビゲーション情報と画像情報を結合した持運びデジタル撮影システム。
【請求項３】
前記持運びデジタル撮影装置は持運びデジタルカメラ又は持運びデジタルビデオカメラであることを特徴とする請求項１記載の測位ナビゲーション情報と画像情報を結合した持運びデジタル撮影システム。
【請求項４】
前記システムには、また、測位計算及び画像デジタル信号プロセッサーを含んでおり、前記測位計算及び画像デジタル信号プロセッサーは、前記測位情報の受信機によって得られた測位情報を処理して、記憶装置や、インターフェース回路に出力するか、及び／又は前記持運びデジタル撮影装置のディスプレイ上に表示することを特徴とする。
又は、前記測位計算及び画像デジタル信号プロセッサーは、前記持運び撮影装置によって得られた画像デジタルデータを処理して、記憶装置や、インターフェース回路に出力するか、及び／又は前記持運びデジタル撮影装置のディスプレイ上に表示することを特徴とする。
若しくは、前記測位計算及び画像デジタル信号プロセッサーは、前記測位情報の受信機によって得られた測位情報と前記持運びデジタル撮影装置によって得られた画像デジタルデータに対する総合的な処理を通じて、一体化された情報にして、記憶装置や、インターフェース回路に出力するか、及び／又は前記持運びデジタル撮影装置のディスプレイ上に表示することを特徴とする請求項１記載の測位ナビゲーション情報と画像情報を結合した持運びデジタル撮影システム。
【請求項５】
前記システムには、また、測位及び画像データの記憶装置が含まれており、前記測位及び画像データ記憶装置は、前記測位情報の受信機によって得られた測位情報や、前記持運びデジタル撮影装置によって得られた画像データ、及び／又は前記測位計算及び画像デジタル情報プロセッサーから出力される一体化された情報などを保存することを特徴とする請求項４記載の測位ナビゲーション情報と画像情報を結合した持運びデジタル撮影システム。
【請求項６】
前記持運び撮影装置には、順次にレンズや、画像信号処理回路、モジュール変換及びディスプレイなどが含まれており、前記測位情報の受信機には、アンテナや、ＲＦ先端、モジュール変換及び受信信号結合装置などが含まれており、前記測位計算及び画像デジタルプロセッサーはそれぞれ前記測位情報受信機の受信信号結合装置や、前記持運び撮影装置のモジュール変換及び表示に接続されることを特徴とする請求項４または５記載の測位ナビゲーション情報と画像情報を結合した持運びデジタル撮影システム。
【請求項７】
前記測位計算及び画像デジタル信号プロセッサーや、前記測位及び画像データ記憶装置は前記測位情報の受信機に内蔵されており、前記測位計算及び画像データ信号プロセッサーはインターフェース回路を通じて前記持運びデジタル撮影装置に接続されることを特徴とする請求項４または５記載の測位ナビゲーション情報と画像情報を結合した持運びデジタル撮影システム。
【請求項８】
前記測位計算及び画像デジタル信号プロセッサーや、前記測位及び画像データ記憶装置は前記持運びデジタル撮影装置に内蔵されており、前記測位計算及び画像データ信号プロセッサーはインターフェース回路を通じて前記測位情報の受信機に接続されることを特徴とする請求項４または５記載の測位ナビゲーション情報と画像情報を結合した持運びデジタル撮影システム。
【請求項９】
前記測位計算及び画像データ信号プロセッサーと前記測位及び画像データ記憶装置は一つの独立したモジュールとなっており、前記独立したモジュールはインターフェース回路を通じて、それぞれ前記持運びデジタル撮影装置と前記測位情報の受信機との間にて処理済データを交換できることを特徴とする請求項４または５記載の測位ナビゲーション情報と画像情報を結合した持運びデジタル撮影システム。
【請求項１０】
前記システムの中には電子マップが内蔵されており、測位情報の受信機によって得られた測位情報を対応する電子マップと結合して、持運びデジタル撮影装置のディスプレイを通じて表示することを特徴とする請求項１または５のいずれかに記載の測位ナビゲーション情報と画像情報を結合した持運びデジタル撮影システム。
【請求項１１】
前記測位情報の受信機中の１ｐｐｓポートのデータを前記測位ナビゲーション情報と画像情報を結合した持運びデジタル撮影システムの同期クロックとすることを特徴とする請求項１または５のいずれかに記載の測位ナビゲーション情報と画像情報を結合した持運びデジタル撮影システム。
【請求項１２】
前記測位計算及び画像デジタル信号プロセッサーはデータ修正を防げる暗号化機能を有することを特徴とする請求項１または５のいずれかに記載の測位ナビゲーション情報と画像情報を結合した持運びデジタル撮影システム。
【発明の詳細な説明】
【発明の詳細な説明】
【技術分野】  本発明は電子機材や、デジタル家電製品、ナビゲーション、写真などの分野に関るもので、ナビゲーション情報と画像情報を結合した持ち運びデジタル撮影システムに関するものである。
【背景技術】  携帯電話や、市販用デジタルカメラ又はデジタルビデオカメラなどは、既に日常生活分野にまで普及されており、日常の仕事や旅行の常備品となっている。携帯電話や、市販用デジタルカメラ又はデジタルビデオカメラなどを持って旅行する場合、写真と映像を撮る外、使用者は写真と映像を撮ると同時に、撮影した写真と映像の中に場所や、時間、位置などの情報を記録して、将来に思い出や、検証、説明の根拠として使うことを望んでいる。このようなデジタルカメラにおいて、撮影位置や方位等を測定し、その測定結果や、それに基づく撮影位置や被写体の名称を画像データとともに記録するものが知られている。例えば、特許文献１−２。
【特許文献】特開２００６−２０１６６号公報
【特許文献】特開平９−９８３２３号公報
【発明が解決しょうとする課題】
ところで、市販用デジタルカメラ又はデジタルビデオカメラに道路交通のナビゲーション及び場所検索情報を附帯させることを望んでいる。しかし、既存のデジタルカメラ又はデジタルビデオカメラにはこのような機能が備えていない。特許文献１−２のように、撮影位置、方位、距離に基づいて被写体、複数の被写体を特定する手法では、デジタルカメラ又はデジタルビデオカメラに道路交通のナビゲーション及び場所検索情報機能ができないという問題があった。
本発明では、上記の問題を解消するためになされたもので、持ち運びデジタル撮影装置に測位情報の受信機を含み、その持運びデジタル撮影装置が容易にナビゲーションできる測位ナビゲーション情報と画像情報を結合した持ち運びデジタル撮影システムを提供することを目的とする。
【発明が解決するための手段】
請求項１記載の測位ナビゲーション情報と画像情報を結合した持運びデジタル撮影システムにおいて、持運びデジタル撮影装置と受信した測位情報をこの持運びデジタル撮影装置のディスプレイに表示する測位情報の受信機を含むものである。
請求項２記載の測位ナビゲーション情報と画像情報を結合した持運びデジタル撮影システムでは、測位情報の受信機はＧＰＳ受信手段や、ガリレオ受信手段又は地面測位情報の受信手段を備えるものである。
請求項３記載の測位ナビゲーション情報と画像情報を結合した持運びデジタル撮影システムでは、持運びデジタル撮影装置は持運びデジタルカメラ又は持運びデジタルビデオカメラである。
請求項４記載の測位ナビゲーション情報と画像情報を結合した持運びデジタル撮影システムでは、また、測位計算及び画像デジタル信号プロセッサーを含んでおり、測位計算及び画像デジタル信号プロセッサーは、測位情報の受信機によって得られた測位情報を処理して、記憶装置や、インターフェース回路に出力するか、及び／又は前記持運びデジタル撮影装置のディスプレイ上に表示するとしたものであり。又は、測位計算及び画像デジタル信号プロセッサーは、持運び撮影装置によって得られた画像デジタルデータを処理して、記憶装置や、インターフェース回路に出力するか、及び／又は持運びデジタル撮影装置のディスプレイ上に表示するとしたものである。若しくは、測位計算及び画像デジタル信号プロセッサーは、測位情報の受信機によって得られた測位情報と持運びデジタル撮影装置によって得られた画像デジタルデータに対する総合的な処理を通じて、一体化された情報にして、記憶装置や、インターフェース回路に出力するか、及び／又は持運びデジタル撮影装置のディスプレイ上に表示するものである。
請求項５記載の測位ナビゲーション情報と画像情報を結合した持運びデジタル撮影システムでは、また、測位及び画像データの記憶装置が含まれており、測位及び画像データ記憶装置は、測位情報の受信機によって得られた測位情報や、持運びデジタル撮影装置によって得られた画像データ、及び／又は測位計算及び画像デジタル情報プロセッサーから出力される一体化された情報などを保存するものである。
請求項６記載の測位ナビゲーション情報と画像情報を結合した持運びデジタル撮影システムでは、順次にレンズや、画像信号処理回路、モジュール変換及びディスプレイなどが含まれており、測位情報の受信機には、アンテナや、ＲＦ先端、モジュール変換及び受信信号結合装置などが含まれており、測位計算及び画像デジタルプロセッサーはそれぞれ前記測位情報受信機の受信信号結合装置や、持運び撮影装置のモジュール変換及びディスプレイに接続されるものである。
請求項７記載の測位ナビゲーション情報と画像情報を結合した持運びデジタル撮影システムでは、測位計算及び画像デジタル信号プロセッサーや、測位及び画像データ記憶装置は測位情報の受信機に内蔵されており、測位計算及び画像データ信号プロセッサーはインターフェース回路を通じて持運びデジタル撮影装置に接続されるものである。
請求項８記載の測位ナビゲーション情報と画像情報を結合した持運びデジタル撮影システムでは、測位計算及び画像デジタル信号プロセッサーや、測位及び画像データ記憶装置は前記持運びデジタル撮影装置に内蔵されており、測位計算及び画像データ信号プロセッサーはインターフェース回路を通じて前記測位情報の受信機に接続されるものである。
請求項９記載の測位ナビゲーション情報と画像情報を結合した持運びデジタル撮影システムでは、測位計算及び画像データ信号プロセッサーと測位及び画像データ記憶装置は一つの独立したモジュールとなっており、独立したモジュールはインターフェース回路を通じて、それぞれ前記持運びデジタル撮影装置と前記測位情報の受信機との間にて処理済データを交換できるものである。
請求項１０記載の測位ナビゲーション情報と画像情報を結合した持運びデジタル撮影システムでは、システムの中には電子マップ（地図）が内蔵されており、測位情報の受信機によって得られた測位情報を対応する電子マップと結合して、持運びデジタル撮影装置のディスプレイを通じて表示するものである。
請求項１１記載の測位ナビゲーション情報と画像情報を結合した持運びデジタル撮影システムでは、測位情報の受信機中の１ｐｐｓポートのデータを測位ナビゲーション情報と画像情報を結合した持運びデジタル撮影システムの同期クロックとするものである。
請求項１２記載の測位ナビゲーション情報と画像情報を結合した持運びデジタル撮影システムでは、測位計算及び画像デジタル信号プロセッサーはデータ修正を防げる暗号化機能を有するものである。
【発明の効果】
本発明によれば、持運びデジタル撮影装置に設けられた測位情報受信の手段から、得られた測位情報、地図情報に基づき、持ち運びナビゲーション情報をデジタル撮影装置のディスプレイに表示するとともに、被写体の場所も画像上に記録及び表示することができる。
【発明を実施するための最良の形態】  本発明の測位ナビゲーション情報と画像情報を結合した持運びデジタル撮影システムには、持運びデジタル撮影装置と受信した測位情報を前記持運びデジタル撮影装置のディスプレイに表示する測位（Ｐｏｓｉｔｉｏｎ）情報の受信機が含まれている。撮影の時は、測位情報受信機によって得られた測位情報を保存して、測位情報と共に前記持運びデジタル撮影装置のディスプレイに表示することができる。測位情報受信機は、ＧＰＳ受信手段や、ガリレオ受信手段、又は地面測位（簡易ＧＰＳ）受信手段を持っているか、或はＧＰＳ受信手段（機能）や、ガリレオ受信手段（機能）及び地面の簡易ＧＰＳ受信手段（機能）中の一種又はマルチ手段（機能）を集積した受信機である。簡易ＧＰＳ受信機能とは、携帯電話ベースステーションのような地面基地局から発信しているＧＰＳ信号の受信機である。これらの情報は簡易な測位情報とも呼ばれ、携帯電話に幅広く応用されている。持運びデジタル撮影装置は、持運びデジタルカメラ又は持運びビデオカメラである。
測位ナビゲーション情報と画像情報を結合した持運びデジタル撮影システムには、測位計算及び画像デジタル信号プロセッサーが含まれており、測位ナビゲーション情報と画像情報を結合した持運びデジタル撮影システムをナビゲーションとして使える。この場合には、測位計算及び画像デジタル信号プロセッサーは、測位情報受信機によって得られた測位情報を処理且つ保存して、インターフェース回路に出力するか、及び／又は前記持運びデジタル撮影装置のディスプレイ上に表示する。測位ナビゲーション情報と画像情報を結合した持運びデジタル撮影システムを撮影の端末として使用する場合、前記測位計算及び画像デジタル信号プロセッサーは、持運びデジタル撮影装置によって得られた画像データを処理且つ保存して、インターフェース回路に出力するか、及び／又は前記持運びデジタル撮影装置のディスプレイ上に表示する。測位ナビゲーション情報と画像情報を結合した持運びデジタル撮影システムをナビゲーションの端末手段として使用する場合、測位計算及び画像デジタル信号プロセッサーは測位情報受信機によって得られた測位情報及び持運びデジタル撮影装置によって得られた画像データに対する結合処理を通じて、一体化された情報にして、記憶装置や、インターフェース回路に出力するか、及び／又は前記持運びデジタル撮影装置のディスプレイ上に表示する。
測位ナビゲーション情報と画像情報を結合した持運び撮影システムには電子マップが内蔵されており、測位情報受信機によって得られた測位情報に対応する電子マップと結合して、持運びデジタル撮影装置のディスプレイを通じて表示する。これによって、前記測位ナビゲーション情報と画像情報を結合した持運びデジタル撮影システムを持運びナビゲーション端末として使用することができる。
図１は、測位ナビゲーション情報と画像情報を結合した持運びデジタル撮影システムの第１実子例の略図であり、持運びデジタルカメラ又はデジタルビデオカメラによって得られた映像に、測位ナビゲーション機能を加えたものである。デジタル画像情報と測位データ情報のデジタル信号プロセッサーにおいて、機能の比較的強いコントローラー・チップを使用すると同時に、一体化且つ総合的なデータ情報の結合処理を通じて、処理済の測位や、ナビゲーション、時間、地図など情報と画像情報の全部及び一部内容の一体化画像データ情報を容量の比較的大きな記憶装置中に保存してから、情報データのインターフェース回路を通じて出力する。
こちらでは、測位ナビゲーション情報と画像情報を結合した持運びデジタル撮影システムにおいて、結合処理の一体化集積を実施例として説明することにする。一体化集積の場合、持運びデジタル撮影装置の撮影レンズｂ１１センサーによって採集された光信号は、光電変換回路及びアナログ処理の画像信号処理回路ｂ１２を通じて、また、モジュール変換ｂ１３を通じてデジタル信号に変えてから、デジタル圧縮拡張ｂ１４回路を通じて、持運びデジタル撮影装置及び測位情報受信機と共用される測位計算及び画像デジタル信号プロセッサーａｂｃ１に伝送される。測位情報受信機アンテナａ１１によって受信されたＲＦ測位情報信号は、ＲＦ先端ａ１２周波数変換器によって、ミキシング、フィルタ、増幅してから、モジュール変換ａ１３によってデジタル信号に変えて、受信信号結合装置ａ１４にて関連計算を行うが、測位計算及び画像デジタル信号プロセッサーａｂｃ１と共に、信号の捕獲、追跡、測位計算を実現する。それから、信号処理コントローラーａｂｃ１は測位及び画像デジタル信号に対して結合処理を行い、一体化された情報を一体化測位及び画像データの記憶装置ａｂ１５中に保存して、装置の情報データのインターフェース回路ｂ１７を通じて出力すると同時に、ディスプレイｂ１８を通じて、結合された情報を表示することができる。
その詳細な応用の場合は、測位情報データと電子マップの一部の情報を結合利用することによって、場所の特徴情報を画像に現せた特徴のある内容を構成することができる。測位情報データと電子マップの一部情報中のデータ情報画像も結合されており、撮影の測位場所名又は撮影の測位場所近くの最も代表性特徴のあるネーム情報を選んで、自動的に画像情報との一体化のデジタル情報総合的結合処理を行い、画像の中にインサートされる。例えば、天安門広場近くで撮影する場合、ディスプレイ及び保存された写真には、時間や、緯度・経度などが現れる外、電子マップ情報と結合されて、“天安門広場”と言う文字も現れる。
また、持運びデジタルカメラ又はデジタルビデオカメラ自体のディスプレイを利用して、測位ナビゲーション情報と画像情報を結合した持運びデジタル撮影システム中に電子マップソフトウェアを加えることによって、本システムの電子マップ機能キーを押すと、測位情報受信機によって受信された測位情報を通じて、対応する電子マップを検索することができ、道路交通のナビゲーション及び場所情報の検索手段が可能となる。既存の持運びデジタルカメラ又はデジタルビデオカメラには、このような機能が付いていない。
本システム装置において、測位情報と画像情報との正確な結合のためには、システム全体の信号コントロールと処理の場合、時間及び時間順番同期クロック（シンクロナス）について規定する必要がある。測位情報受信機には正確な時間出力ポート（１ｐｐｓポートのデータ）が付いているので、測位情報受信機の比較的高精度のタイミング機能を充分利用する。１ｐｐｓを時間の同期クロック（シンクロナス）として、装置全体の関連部品と回路の間にて同期クロック（シンクロナス）制御及び信号処理を行い、画像情報に比較的正確な時間及び場所の情報をインサートする。
ある特別な応用の場合、例えば、警察や探査などの部門によって応用される場合、測位ナビゲーション情報と画像情報を結合した持運びデジタル撮影システムによって記録された内容は、修正又は変更されないことが望まれる。そのため、測位ナビゲーション情報と持運びデジタル撮影装置の測位計算及び画像情報デジタル信号プロセッサーにおける結合処理に暗号化処理を行い、画像情報に書き込まれた位置や、時間、場所など情報の修正を防ぐことができる。
このような測位情報と画像情報を結合した持運びデジタル撮影装置には、次の結合処理による３要素ユニットが含まれるが、それ限りではない。▲１▼前記装置の測位計算及び画像情報デジタル情報プロセッサー、▲２▼前記装置の情報一体化データ記憶装置、▲３▼前記装置のインターフェース回路。
図１は、測位情報と画像情報を結合した持運びデジタル撮影装置に結合処理による３要素ユニットの一体化によって集積された実施例である。
測位情報受信機と持運びデジタル撮影装置との一体化集積は、測位計算及び画像情報デジタル信号プロセッサーａｂｃ１において、持運びデジタル撮影装置の画像情報と測位情報受信機のデータ情報に対する一体化且つ綜合的なデータ情報の結合処理が行われ、一体化された情報をａｂ１５に保存して、インターフェース回路ｂ１７を通じて出力されると同時に、ディスプレイｂ１８にその結合された情報を表示する。
図２は、測位情報と画像情報を結合した持運びデジタル撮影装置の第２の実施例であり、結合処理による３要素ユニットを測位情報受信機に内蔵させた実施例である。
結合処理による３要素ユニットを測位情報受信機に内蔵させる場合、中には、持運びデジタル撮影装置ｂ１０１の撮影レンズｂ１１や、画像信号処理回路ｂ１２、モジュール変換ｂ１３、データ圧縮拡張ｂ１４、画像記憶装置ｂ１５、インターフェース回路ｂ１６などが含まれており、測位情報受信機ａ１０１のアンテナａ１１や、ＲＦ先端ａ１２、モジュール変換ａ１３、受信信号結合装置ａ１４、測位計算及び画像デジタル信号プロセッサーａｃ１、記憶装置ａ１５、インターフェース回路ａ１６などが含まれている。測位ナビゲーション情報と持運びデジタル撮影装置との測位計算及び画像情報デジタル信号プロセッサーや、対応するデータ記憶装置及びインターフェース回路などは、測位情報受信機に内蔵される。持運びデジタル撮影装置外部の画像情報及び測位情報受信機による測位計算及び画像情報のデジタル信号プロセッサーａｃ１による一体化の綜合的データ情報の結合処理を通じて、その総合的データ情報は記憶装置ａｂ１５に保存され、情報データインターフェース回路ａ１６によって出力されると同時に、ディスプレイ上に、測位情報や、画像情報及び／又はその結合情報をそれぞれ表示するか、或は結像させる。
図３は、測位ナビゲーション情報と画像情報を結合した持運びデジタル撮影システムの第３の実施例であり、結合処理による３要素ユニットを持運びデジタル撮影装置に内蔵させた実施例である。
結合処理による３要素ユニットを持運びデジタル撮影装置に内蔵させる場合、中には、持運びデジタル撮影装置ｂ１０２の撮影レンズｂ１１や、画像信号処理回路ｂ１２、モジュール変換ｂ１３、データ圧縮拡張ｂ１４、画像記憶装置ｂ１５、インターフェース回路ｂ１６、測位計算及び画像デジタル信号プロセッサーｂｃ１などが含まれており、測位情報受信機ａ１０２のアンテナａ１１や、ＲＦ先端ａ１２、モジュール変換ａ１３、受信信号結合装置ａ１４、測位計算デジタル信号プロセッサーａ１、記憶装置ａ１５、インターフェース回路ａ１６などが含まれており、測位ナビゲーション情報と持運びデジタル撮影装置との測位計算及び画像デジタル信号プロセッサーや、測位と画像データ記憶装置及びインターフェース回路は、持運びデジタル撮影装置に内蔵される。測位計算及び画像デジタル信号プロセッサーｂｃ１による一体化の綜合的データ情報の結合処理を通じて、その総合的データ情報は記憶装置ｂ１５に保存され、情報データインターフェース回路ｂ１６によって出力されると同時に、ディスプレイｂ１７上に、測位情報や、画像情報及び／又はその結合情報をそれぞれ表示するか、或は結像させる。
図４は、測位ナビゲーション情報と画像情報を結合した持運びデジタル撮影システムの第４の実施例であり、結合処理による３要素ユニットを持運びデジタル撮影機と測位情報受信機の外部において、独立したモジュールとして製作した前記装置の実施例である。
結合処理による３要素ユニットは、持運びデジタル撮影機と測位情報受信機の外部において、独立したモジュールとして製作される場合、中には、持運びデジタル撮影装置ｂ１０の撮影レンズｂ１１や、画像信号処理回路ｂ１２、モジュール変換ｂ１３、データ圧縮拡張ｂ１４、画像記憶装置ｂ１５、インターフェース回路ｂ１６、デジタル信号処理コントローラーｂ１などが含まれており、測位情報受信機ａ１０のアンテナａ１１や、ＲＦ先端ａ１２、モジュール変換ａ１３、受信信号結合装置ａ１４、測位計算デジタル信号プロセッサーａ１、測位データ記憶装置ａ１５、インターフェース回路ａ１６などが含まれており、独立的モジュールｃ１０の測位計算及び画像デジタル信号処理コントローラーｃ１や、測位情報受信機と接続されるインターフェースｃ１１、測位と画像との綜合データ情報記憶装置ｃ１２、出力インターフェース回路ｃ１３などが含まれている。測位ナビゲーション情報と持運びデジタル撮影装置との測位計算及び画像デジタル信号プロセッサーｃ１や、測位と画像データの記憶装置ｃ１２及びインターフェース回路ｃ１１、ｃ１３は、持運びデジタル情報プロセッサーの外部において、独立したモジュールを形成し、前記デジタル信号プロセッサーｃ１による一体化の綜合的データ情報の結合処理を通じて、その綜合的データ情報は記憶装置ｃ１２に保存され、情報データインターフェース回路ｃ１３を通じて出力される。
上記４種を基本構造とする測位ナビゲーション情報と画像情報を結合した持運びデジタル撮影システムは、その詳しい応用において、測位情報データと電子マップの一部情報を結合且つ利用して、場所特徴の情報を画像に現せて特徴のある内容を構成する。測位計算及び画像デジタル信号プロセッサーによる結合処理後、測位情報データと電子マップの一部情報中のデータ情報を結合して、撮影場所名称の反映に最適で、又は撮影測位場所近くの最も代表性のある名称情報を選択して、自動的に画像情報と一体化の総合的データ情報の結合処理が行われ、画像の中にインサートされる。
持運びデジタルカメラ又はデジタルビデオカメラ自体のディスプレイの利用や、測位情報受信機によって受信した測位情報との結合、対応する電子マップとの結合によって、道路交通のナビゲーションと場所の検索を実現することができる。ところが、既存のデジタルカメラ又はデジタルビデオカメラにはこのような機能が付いていない。
本システム装置において、測位情報と画像情報との正確な結合のためには、システム全体の信号コントロールと処理の場合、時間及び時間順番シンクロナス（同期クロック）について規定する必要があり、測位情報受信機には正確な時間出力ポート（１ｐｐｓポートのデータ）が付いているので、測位情報受信機の比較的高精度のタイミング機能を充分利用する。１ｐｐｓを時間のシンクロナスクロックとして、装置全体の関連部品と回路の間にてシンクロナス制御及び信号処理を行い、画像情報に比較的正確な時間及び場所の情報をインサートする。
ある特別な応用の場合、測位ナビゲーション情報と画像情報を結合した持運びデジタル撮影システムによって記録された内容は、修正又は変更されないことが望まれる。そのため、測位ナビゲーション情報と持運びデジタル撮影装置の測位計算及び画像情報デジタル信号プロセッサーにおける結合処理に暗号化処理を行い、画像情報に書き込まれた位置や、時間、場所など情報の修正を防ぐことができる。
【図面の簡単な説明】  図１は、測位ナビゲーション情報と画像情報を結合した持運びデジタル撮影システム中の一体化された集積構造の略図である。
図２は、測位ナビゲーション情報と画像情報を結合した持運びデジタル撮影システムの結合処理によって、三要素ユニットを測位情報受信機に内蔵させた構造略図である。
図３は、測位ナビゲーション情報と画像情報を結合した持運びデジタル撮影システムの結合処理によって、三要素ユニットを持運びデジタル撮影システムに内蔵させた構造略図である。
図４は、測位ナビゲーション情報と画像情報を結合した持運びデジタル撮影システムの結合処理によって三要素ユニットを独立的に持運びデジタル撮影装置及び測位情報受信機の以外に、独立したモジュールに製作した構造略図である。
【符号の説明】［図１の符号説明］
撮影レンズｂ１１；
画像信号処理回路ｂ１２；
モジュール変換ｂ１３；
データ圧縮拡張ｂ１４；
測位情報受信機のアンテナａ１１；
ＲＦ先端ａ１２；
測位情報受信機のモジュール変換ａ１３；
測位情報受信機の受信信号結合装置ａ１４；
持運びデジタル撮影装置と測位情報受信機に共用される測位計算及び画像データ信号プロセッサーａｂｃ１；
持運びデジタル撮影装置と測位情報受信機の一体化による測位と画像データの記憶装置ａｂ１５；
情報データのインターフェース回路ｂ１７；
［図２の符号説明］
持運びデジタル撮影装置ｂ１０１；
撮影レンズｂ１１；
画像信号処理回路ｂ１２；
モジュール変換ｂ１３；
データ圧縮拡張ｂ１４；
画像記憶装置ｂ１５；
インターフェース回路ｂ１６；
測位情報受信機ａ１０１；
アンテナａ１１；
ＲＦ先端ａ１２；
モジュール変換ａ１３；
測位情報受信機の受信信号結合装置ａ１４；
測位計算及び画像データ信号プロセッサーａｃ１；
測位と画像データ記憶装置ａ１５；
インターフェース回路ａ１６；
［図３の符号説明］
持運びデジタル撮影装置ｂ１０２；
撮影レンズｂ１１；
画像信号処理回路ｂ１２；
モジュール変換ｂ１３；
データ圧縮拡張ｂ１４；
測位と画像データ記憶装置ｂ１５；
インターフェース回路ｂ１６；
測位計算及び画像デジタル信号プロセッサーｂｃ１；
測位情報受信機ａ１０２のアンテナａ１１；
ＲＦ先端ａ１２；
モジュール変換ａ１３；
測位情報受信機の受信信号結合装置ａ１４；
測位計算データ信号プロセッサーａ１；
測位データ記憶装置ａ１５；
インターフェースａ１６；
［図４の符号説明］
持運びデジタル撮影装置ｂ１０；
撮影レンズｂ１１；
画像信号処理回路ｂ１２；
モジュール変換ｂ１３；
データ圧縮拡張ｂ１４；
画像記憶装置ｂ１５；
インターフェース回路ｂ１６；
デジタル信号処理及びコントローラーｂ１；
測位情報受信機ａ１０のアンテナａ１１；
ＲＦ先端ａ１２；
モジュール変換ａ１３；
受信信号結合装置ａ１４；
測位計算デジタル信号プロセッサーａ１；
測位データ記憶装置ａ１５；
インナーフェースａ１６；
独立モジュールｃ１０；
測位計算及び画像デジタル信号プロセッサーｃ１；
測位情報受信機と接続されたインターフェース回路ｃ１１；
測位及び画像データ記憶装置ｃ１２；
出力のインターフェース回路ｃ１３；
【図１】
2010534455.tif 000003
【図２】
2010534455.tif 000004
【図３】
2010534455.tif 000005
【図４】
2010534455.tif 000006
【国際調査報告】
2010534455.tif 000007
2010534455.tif 000008
2010534455.tif 000009
2010534455.tif 000010
2010534455.tif 000011
2010534455.tif 000012
2010534455.tif 000013
2010534455.tif 000014